(57)【要約】【課題】ユーザが監視対象設備の監視制御をより効率的に行うことができる監視制御装置、監視制御方法及び監視制御システムを提供することである。【解決手段】実施形態の監視制御装置は、画像生成部と、表示制御部とを持つ。画像生成部は、監視対象となる設備に対応付けられた設備識別情報と設備同士の接続に用いられる系統線に対応付けられた系統線識別情報とを複数組み合わせて描画された第１監視画像と、設備に対応付けられ、かつ対応付けられた設備に対して設備の稼働に関する所定の制御がなされる可能性を有することを示す第１制御指示をユーザから受け付ける制御対象識別情報が複数描画された第２監視画像と、を生成する。表示制御部は、第１監視画像と第２監視画像とが１つ以上の表示装置に表示されるように制御する。【選択図】図１
2020135065.tif 000002
【特許請求の範囲】
【請求項１】
監視対象となる設備に対応付けられた設備識別情報と前記設備同士の接続に用いられる系統線に対応付けられた系統線識別情報とを複数組み合わせて描画された第１監視画像と、前記設備に対応付けられ、かつ対応付けられた設備に対して前記設備の稼働に関する所定の制御がなされる可能性を有することを示す第１制御指示をユーザから受け付ける制御対象識別情報が複数描画された第２監視画像と、を生成する画像生成部と、
前記第１監視画像と前記第２監視画像とが１つ以上の表示装置に表示されるように制御する表示制御部と、
を備える監視制御装置。
【請求項２】
前記第１制御指示を受け付けた制御対象識別情報と、前記制御対象識別情報と同じ設備に対応付けられている設備識別情報と、の表示態様を他の設備識別情報と他の制御対象識別情報とは異なる第１表示態様に変化させ、前記第１制御指示を受け付けてから予め設定された時間内に、前記設備に対する制御の開始を指示する第２制御指示をユーザから受け付けると、前記設備識別情報及び前記制御対象識別情報の表示態様を前記設備の状態に応じて第２表示態様に変化させる識別情報制御部と、
前記第２制御指示に応じて前記制御対象識別情報に対応付けされた設備に対する制御を行う設備制御部と、をさらに備える、
請求項１に記載の監視制御装置。
【請求項３】
前記識別情報制御部は、前記第１制御指示を受け付けてから前記第２制御指示を受け付けるまでの間に前記設備に対する制御の内容を含む第３制御指示を受け付けると、前記設備の状態に応じて通電状態が変化する系統線に対応付けられた前記系統線識別情報の表示態様を変化させる、
請求項２に記載の監視制御装置。
【請求項４】
前記設備制御部は、ユーザが複数回の入力を行うことで前記第２制御指示を受け付ける、
請求項２から３のいずれか一項に記載の監視制御装置。
【請求項５】
前記ユーザから所定の情報を受け付けることでユーザ認証を行う認証部を更に備え、
前記設備制御部は、前記認証部によって認証されたユーザから前記第１制御指示を受け付ける、
請求項２から４のいずれか一項に記載の監視制御装置。
【請求項６】
前記第１制御指示を受け付けてから前記制御に関する所定の処理が行われるまでに、前記第１制御指示を受け付けた制御対象識別情報と、前記制御対象識別情報と同じ設備に対応付けられている設備識別情報と、が重ならないように前記設備に対する制御内容を示す通知画面を前記第１監視画像又は前記第２監視画像に表示させる通知部を更に備える、
請求項１から５のいずれか一項に記載の監視制御装置。
【請求項７】
監視制御装置が、監視対象となる設備に対応付けられた設備識別情報と前記設備同士の接続に用いられる系統線に対応付けられた系統線識別情報とを複数組み合わせて描画された第１監視画像と、前記設備に対応付けられ、かつ対応付けられた設備に対して前記設備の稼働に関する所定の制御がなされる可能性を有することを示す第１制御指示をユーザから受け付ける制御対象識別情報が複数描画された第２監視画像と、を生成する画像生成ステップと、
監視制御装置が、前記第１監視画像と前記第２監視画像とが１つ以上の表示装置に表示されるように制御する表示制御ステップと、
を有する監視制御方法。
【請求項８】
監視対象となる設備に対応付けられた設備識別情報と前記設備同士の接続に用いられる系統線に対応付けられた系統線識別情報とを複数組み合わせて描画された第１監視画像と、前記設備に対応付けられ、かつ対応付けられた設備に対して前記設備の稼働に関する所定の制御がなされる可能性を有することを示す第１制御指示をユーザから受け付ける制御対象識別情報が複数描画された第２監視画像と、を生成する画像生成部と、
前記第１監視画像と前記第２監視画像とが１つ以上の表示装置に表示されるように制御する表示制御部と、
を備える監視制御システム。
【発明の詳細な説明】
【技術分野】
【０００１】
本発明の実施形態は、監視制御装置、監視制御方法及び監視制御システムに関する。
【背景技術】
【０００２】
監視対象設備の稼働状態を表示灯で表すグラフィックパネルと監視対象設備に制御指示を送信する操作卓とを組み合わせた監視制御システムがある。このような監視制御システムは、グラフィックパネル及び操作卓と同様の画面をパーソナルコンピュータ等の情報処理装置に表示することが求められていた。しかし、従来の情報処理装置では、グラフィックパネル又は操作卓のいずれか一方しか表示させることができなかった。このため、監視対象設備の監視者は、グラフィックパネルと操作卓とを切り替えながら操作したり２台の情報処理装置を並行して操作したりすることになり、効率的に監視制御を行えない場合があった。
【先行技術文献】
【特許文献】
【０００３】
【特許文献１】特開２００３−１４３５９２号公報
【特許文献２】特開２０１５−１９５５０９号公報
【特許文献３】特開２０００−３４０３７２号公報
【特許文献４】特開２０１３−１６８８２３号公報
【発明の概要】
【発明が解決しようとする課題】
【０００４】
本発明が解決しようとする課題は、ユーザが監視対象設備の監視制御をより効率的に行うことができる監視制御装置、監視制御方法及び監視制御システムを提供することである。
【課題を解決するための手段】
【０００５】
実施形態の監視制御装置は、画像生成部と、表示制御部とを持つ。画像生成部は、監視対象となる設備に対応付けられた設備識別情報と前記設備同士の接続に用いられる系統線に対応付けられた系統線識別情報とを複数組み合わせて描画された第１監視画像と、前記設備に対応付けられ、かつ対応付けられた設備に対して前記設備の稼働に関する所定の制御がなされる可能性を有することを示す第１制御指示をユーザから受け付ける制御対象識別情報が複数描画された第２監視画像と、を生成する。表示制御部は、前記第１監視画像と前記第２監視画像とが１つ以上の表示装置に表示されるように制御する。
【図面の簡単な説明】
【０００６】
【図１】実施形態の監視制御システム１の構成例を示す図。
【図２】実施形態の監視制御装置１００の機能構成を表す機能ブロック図。
【図３】実施形態の制御装置２００の機能構成を表す機能ブロック図。
【図４】実施形態の接続情報テーブルの一具体例を示す図。
【図５】実施形態の第１監視画像と第２監視画像との一具体例を示す図。
【図６】実施形態の第１制御指示を受け付けた場合の一具体例を示す図。
【図７】実施形態の第３制御指示を受け付けた場合の一具体例を示す図。
【図８】実施形態の第２制御指示を受け付けた場合の一具体例を示す図。
【図９】実施形態の通知画面が表示された場合の一具体例を示す図。
【図１０】実施形態の監視対象設備の制御の流れを示すフローチャート。
【図１１】実施形態の監視対象設備の制御の流れを示すフローチャート。
【発明を実施するための形態】
【０００７】
以下、実施形態の監視制御装置、監視制御方法及び監視制御システムを、図面を参照して説明する。
【０００８】
図１は、実施形態の監視制御システム１の構成例を示す図である。監視制御システム１は、監視制御装置１００、制御装置２００−１〜２００−４、コントローラ２１０−１〜２１０−３、コントローラ２２０−１〜２２０−３、コントローラ２３０−１〜２３０−３、コントローラ２４０−１〜２４０−３及びファイルサーバ３００を備える。監視制御装置１００及び制御装置２００−１〜２００−４は、閉域ネットワーク４００を介して通信可能に接続される。閉域ネットワーク４００は、例えば、ＬＡＮ（Local Area Network）等のネットワークであってもよい。以下、いずれの制御装置であるかを区別しないときは、単に制御装置２００と称して説明する。
【０００９】
監視制御装置１００は各制御装置２００から監視データを受信する。監視データは、制御装置２００に接続されたコントローラによって制御される監視対象設備の稼働状態を示すデータである。監視データは、例えば、監視対象設備が動作しているか、動作していないかを表す情報を有していてもよいし、障害が発生しているか否かを表す情報を有していてもよい。また、監視データは、制御に関する物理量や工業量等の諸量を表すデータである。例えば、監視対象設備がポンプである場合、監視データはポンプの吐出圧力や吐出流量を示すデータを有してもよい。また、例えば、監視対象設備がバルブである場合、監視データはバルブの開度を示すデータであってもよい。また、例えば、監視対象設備が各種のセンサを有している場合、監視データは各センサの測定値（電圧値、電流値、電力値、水位、水圧値等）を表す情報であってもよい。
【００１０】
制御装置２００は、１つ以上のコントローラと接続される。例えば、制御装置２００−１は、コントローラ２１０−１、コントローラ２１０−２及びコントローラ２１０−３と接続される。例えば、制御装置２００−２は、コントローラ２２０−１、コントローラ２２０−２及びコントローラ２２０−３と接続される。例えば、制御装置２００−３は、コントローラ２３０−１、コントローラ２３０−２及びコントローラ２３０−３と接続される。例えば、制御装置２００−４は、コントローラ２４０−１、コントローラ２４０−２及びコントローラ２４０−３と接続される。以下、いずれのコントローラであるかを区別しないときは、単にコントローラと称して説明する。制御装置２００は、制御指示を監視制御装置１００から受け付ける。制御装置２００は接続されたコントローラに対して監視対象設備に対する制御指示を送信する。また、制御装置２００は、監視データを接続されたコントローラから取得する。制御装置２００は、取得された監視データを、監視制御装置１００にマルチキャスト又はブロードキャストで送信する。
【００１１】
コントローラは、監視対象設備に対する制御信号を出力するとともに、監視対象設備が出力する設備信号を入力する。コントローラは設備信号に基づいて監視対象設備の監視データを生成する。コントローラは、生成した監視データを制御装置２００に送信する。なお、コントローラによる監視対象設備の制御は、どのような方法で実現されてもよい。例えば、コントローラは、入力した設備信号が示す諸量を所定の数式モデルに当てはめることで監視対象設備の操作量を決定してもよいし、上記諸量が所定の目標値に追従するように監視対象設備の操作量を決定してもよい。また、コントローラは、制御装置２００の制御指示に応じて監視対象設備を制御してもよい。監視対象設備はコントローラが出力する制御信号に基づいて動作する。制御信号は、アナログ信号であってもよいし、デジタル信号であってもよい。
【００１２】
ファイルサーバ３００は、磁気ハードディスク装置や半導体記憶装置等の記憶装置を用いて構成される。ファイルサーバ３００は、閉域ネットワーク４００を介して制御装置２００から監視データを取得して記憶する。ファイルサーバ３００は、自身が記憶している監視データを閉域ネットワーク４００を介して監視制御装置１００に送信する。
【００１３】
図２は、実施形態の監視制御装置１００の機能構成を表す機能ブロック図である。監視制御装置１００は、パーソナルコンピュータ又はサーバ等の情報処理装置である。監視制御装置１００は、バスで接続されたＣＰＵ（Central Processing Unit）やメモリや補助記憶装置などを備える。監視制御装置１００は、監視制御プログラムを実行することによって通信部１０１、入力部１０２、第１表示部１０３、第２表示部１０４、接続情報記憶部１０５及び制御部１０６を備える装置として機能する。監視制御プログラムは、コンピュータ読み取り可能な記憶媒体に記憶されてもよい。コンピュータ読み取り可能な記憶媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。監視画像作成プログラムは、電気通信回線を介して送信されてもよい。
【００１４】
監視制御装置１００は、ユーザからの操作に基づいて第１監視画像及び第２監視画像を生成する。第１監視画像は、監視制御システム１の監視対象となる監視対象設備の運転状態を表す画像である。第１監視画像は、監視対象となる監視対象設備単位又は設備の設けられたフロア単位で表される。第１監視画像は、平面図で表される。第１監視画像は、監視対象となる監視対象設備に対応付けられた設備識別情報と、監視対象設備同士の接続に用いられる系統線に対応付けられた系統線識別情報と、を複数組み合わせて描画される。第１監視画像には、設備識別情報同士の繋がり及び位置関係が表される。
【００１５】
設備識別情報は、監視対象となる設備に対応付けされた識別情報である。設備識別情報は、表示態様を変化させることで対応付けされた設備の稼働状態を表す。設備識別情報同士の繋がりは、系統線に対応付けされた系統線識別情報で表される。監視者は、設備識別情報の表示態様に基づいて監視対象設備の状態を把握する。監視者はユーザの一態様である。
【００１６】
系統線識別情報は系統線に対応付けされる。系統線は、監視対象の設備同士の接続に用いられる線である。系統線識別情報は、系統線の通電状態に応じて表示態様を変化させる。例えば、系統線識別情報は、監視対象となる設備の通電状態に応じて色を変えて表示されてもよいし、点滅して表示されてもよい。監視者は、系統線識別情報の表示態様に基づいて、系統線の通電状態を把握する。
【００１７】
第２監視画像は、監視制御システム１の監視対象となる監視対象設備に対する制御指示を受け付ける画像である。第２監視画像は、第１監視画像によって表される監視対象設備に対応付けされた画像である。第２監視画像は、平面図で表される。第２監視画像には、監視対象設備に対応付けられ、かつ対応付けられた監視対象設備に対して制御が行われる可能性があることを示す第１制御指示をユーザから受け付ける制御対象識別情報が複数描画される。
【００１８】
制御対象識別情報は設備識別情報に対応付けされる。制御対象識別情報は、表示態様を変化させることで対応付けされた設備の稼働状態を表す。制御対象識別情報は、監視者からクリック等の所定の処理がされることで、第１制御指示を受け付ける。
【００１９】
通信部１０１は、ネットワークインタフェースである。通信部１０１は閉域ネットワーク４００を介して、制御装置２００及びファイルサーバ３００と通信する。通信部１０１は、例えば無線ＬＡＮ又は有線ＬＡＮ等の通信方式で通信してもよい。
【００２０】
入力部１０２は、タッチパネル、マウス及びキーボード等の入力装置を用いて構成される。入力部１０２は、入力装置を監視制御装置１００に接続するためのインタフェースであってもよい。この場合、入力部１０２は、入力装置において入力された入力信号から入力データ（例えば、監視制御装置１００に対する指示を示す指示情報）を作成し、監視制御装置１００に入力する。
【００２１】
第１表示部１０３は、ＣＲＴ（Cathode Ray Tube）ディスプレイ、液晶ディスプレイ、有機ＥＬ（Electro Luminescence）ディスプレイ等の出力装置である。第１表示部１０３は、出力装置を監視制御装置１００に接続するためのインタフェースであってもよい。この場合、第１表示部１０３は、映像データから映像信号を生成し自身に接続されている映像出力装置に映像信号を出力する。なお、第１表示部１０３には第１監視画像が表示されるものとして説明する。
【００２２】
第２表示部１０４は、ＣＲＴディスプレイ、液晶ディスプレイ、有機ＥＬディスプレイ等の出力装置である。第２表示部１０４は、出力装置を監視制御装置１００に接続するためのインタフェースであってもよい。この場合、第２表示部１０４は、映像データから映像信号を生成し自身に接続されている映像出力装置に映像信号を出力する。なお、第２表示部１０４には第２監視画像が表示されるものとして説明する。
【００２３】
接続情報記憶部１０５は、磁気ハードディスク装置や半導体記憶装置等の記憶装置を用いて構成される。接続情報記憶部１０５は、第１監視画像に関する接続情報を記憶する。接続情報は、第１監視画像における設備識別情報と系統線識別情報との接続状態を表す。接続情報は、予め接続情報記憶部１０５に記憶されていてもよいし、通信部１０１を介して外部（例えば、制御装置２００又はファイルサーバ３００）から取得されてきてもよい。
【００２４】
図４は、実施形態の接続情報テーブルの一具体例を示す図である。接続情報テーブルは、接続情報レコードを有する。接続情報レコードは、識別情報識別子、識別情報種類、稼働状態、接続、制御対象識別情報及び位置情報の各値を有する。識別情報識別子は、第１監視画像における設備識別情報又は系統線識別情報を一意に識別可能な識別子である。識別子識別子は、他の識別情報識別子と重複しない情報であればどのような情報であってもよい。識別情報種類は、識別情報識別子によって識別される設備識別情報又は系統線識別情報に対応付けされた設備の名称を表す。例えば、識別情報識別子によって識別される識別情報が系統線識別情報である場合、識別情報種類は系統線である。識別情報識別子によって識別される識別情報が設備識別情報である場合、識別情報種類は監視対象設備の名称である。稼働状態は、設備識別情報又は系統線識別情報に対応付けされた設備の稼働状態を表す。設備識別情報の場合、稼働状態はオン又はオフ等の２値で表される。オンとは、監視対象設備が稼働状態であることを表す。稼働状態がオンである場合、設備識別情報は、オンの態様（例えば、赤色等の所定の色）で表示される。オフとは、監視対象設備が稼働状態でないことを表す。稼働状態がオフである場合、設備識別情報は、オフの態様（例えば、緑色等の所定の色）で表示される。設備識別情報は、稼働状態がオフである場合と稼働状態がオンである場合とで、表示態様が異なればどのような態様で表示されてもよい。系統線識別情報の場合、稼働状態は通電又は非通電等の２値で表される。通電とは、系統線に電気が通っている状態を表す。稼働状態が通電である場合、系統線識別情報は、通電の態様（例えば、赤色等の所定の色）で表示される。非通電とは、系統線に電気が通っていない状態を表す。稼働状態が非通電である場合、系統線識別情報は非通電の態様（例えば、白色等の所定の色）で表示される。系統線識別情報は、稼働状態が通電である場合と稼働状態が非通電である場合とで、表示態様が異なればどのような態様で表示されてもよい。接続とは、識別情報識別子によって識別される設備識別情報及び系統線識別情報が、他のいずれの系統線識別情報と接続されているかを表す。接続には、例えば、接続されている識別情報識別子の値が保持される。制御対象識別情報は、設備識別情報と対応付けされている制御対象識別情報の識別子を表す。制御対象識別情報は、他の制御対象識別情報と重複しない情報であればどのような情報であってもよい。なお、系統線識別情報のように、対応付けされている制御対象識別情報がない場合、“−”が保持されていてもよい。位置情報は、例えば座標等によって、第１監視画像における設備識別情報及び系統線識別情報が描画される位置を表す情報である。
【００２５】
図４に示される例では、接続情報テーブルの最上段の接続情報レコードは、識別情報識別子の値が“１１”、識別情報種類の値が“電圧検出器”、稼働状態の値が“オン”、接続の値が“２１”、制御対象識別情報の値が“１１ａ”、位置情報の値が“Ａ”である。従って、接続情報テーブルの最上段のレコードによると、識別情報識別子“１１”によって識別される識別情報の識別情報種類は“電圧検出器”であり、稼働状態は稼働していることを示す“オン”であり、系統線識別情報である“１１”が接続されており、第２監視画像における制御対象識別情報“１１ａ”と対応付けされており、第１監視画像上の領域“Ａ”に描画されていることがわかる。なお、図４に示される接続情報テーブルは一具体例に過ぎない。そのため、図４とは異なる態様で接続情報テーブルが構成されてもよい。
【００２６】
図２に戻って、監視制御装置１００の説明を続ける。制御部１０６は、監視制御装置１００の各部の動作を制御する。制御部１０６は、例えばＣＰＵ等のプロセッサ及びＲＡＭを備えた装置により実行される。制御部１０６は、監視制御プログラムを実行することによって、画像生成部１０７、設備制御部１０８、識別情報制御部１０９、通知部１１０、認証部１１１及び表示制御部１１２として機能する。
【００２７】
画像生成部１０７は、第１監視画像と第２監視画像とを生成する。具体的には、画像生成部１０７は、接続情報記憶部１０５から接続情報テーブルを取得する。画像生成部１０７は、接続情報テーブルに基づいて第１監視画像と第２監視画像とを生成する。画像生成部１０７は、生成された第１監視画像を第１表示部１０３に表示させる。画像生成部１０７は、生成された第２監視画像を第２表示部１０４に表示させる。
【００２８】
設備制御部１０８は、ユーザから制御指示を受け付ける。設備制御部１０８は、受け付けた制御指示に応じて、監視対象設備を制御する。具体的には、ユーザから入力部１０２を介して制御対象識別情報をクリックされた場合、設備制御部１０８は、クリックされた制御対象識別情報に対する第１制御指示を受け付ける。第１制御指示は、制御対象識別情報に対応付けられた設備に対する制御が行われる可能性があることを示す指示である。設備制御部１０８は、第１制御指示に基づいて、制御対象識別情報に対応付けされた設備に対する制御を行う。
【００２９】
設備制御部１０８は、後述の第３制御指示を受け付けてから予め設定された時間内に、ユーザから入力部１０２を介して、設備に対する制御を開始する開始アイコンをクリックされた場合、第２制御指示を受け付ける。開始アイコンは第２監視画像に描画される。設備制御部１０８は、第２制御指示に応じて、第１制御指示を受け付けた際にクリックされた制御対象識別情報に対応付けされた設備に対する制御を開始する。なお、開始される制御は、第３制御指示によって指定された制御の内容である。
【００３０】
設備制御部１０８は、第１制御指示を受け付けてから予め設定された時間内に、ユーザから入力部１０２を介して、入アイコン又は切アイコンをクリックされた場合、第３制御指示を受け付ける。第３制御指示は、設備に対する制御の内容を表す。第３制御指示は、第１制御指示を受け付けてから第２制御指示を受け付けるまでの間に受け付けされる。入アイコンは第２監視画像に描画される。切アイコンは第２監視画像に描画される。設備制御部１０８は、第３制御指示に応じて、第１制御指示を受け付けた際にクリックされた制御対象識別情報に対応付けされた設備に対する制御の内容を決定する。
【００３１】
識別情報制御部１０９は、受け付けた制御指示に応じて設備識別情報又は系統線識別情報の表示態様を変化させる。具体的には、識別情報制御部１０９は、第１制御指示を受け付けると、クリックされた制御対象識別情報と、クリックされた制御対象識別情報と同じ設備に対応付けられている設備識別情報と、の表示態様を他の設備識別情報と他の制御対象識別情報とは異なる表示態様（第１表示態様）に変化させる。例えば、識別情報制御部１０９は、クリックされた制御対象識別情報と、クリックされた制御対象識別情報と同じ設備に対応付けられている設備識別情報と、を外枠で囲むように変化させてもよい。この場合、外枠の色は同じ色で表示されることが望ましいが、異なる色で表示されてもよい。また、識別情報制御部１０９は、外枠を点滅表示させてもよい。
【００３２】
識別情報制御部１０９は、第２制御指示を受け付けると、クリックされた制御対象識別情報と、クリックされた制御対象識別情報と同じ設備に対応付けられている設備識別情報と、の表示態様を実際の設備の状態が変化したことを受けて所定の表示態様（第２表示態様）に変化させる。例えば、監視対象設備がオンとされる制御が行われる場合、識別情報制御部１０９は、設備の状態がオンに変化したことを受けて制御対象識別情報をオンの態様（例えば、赤色等の所定の色）に変化させる。監視対象設備がオフとされる制御が行われる場合、識別情報制御部１０９は、設備の状態がオフに変化したことを受けて制御対象識別情報をオフの態様（例えば、緑色等の所定の色）に変化させる。
【００３３】
識別情報制御部１０９は、第３制御指示を受け付けると、実際の系統線の通電状態が変化したことを受けて通電状態が変化した系統線に対応付けられている系統線識別情報の表示態様を変化させる。例えば、監視対象設備がオンとされる制御が行われる場合について説明する。この場合、識別情報制御部１０９は、クリックされた制御対象識別情報に対応付けされた監視対象設備から電圧検出器までのいずれかの経路にある監視対象設備がすべてオンである場合、その経路を構成する系統線が通電したことを受けて系統線識別情報をオンの態様（例えば、赤色等の所定の色）に変化させる。例えば、監視対象設備がオフとされる制御が行われる場合について説明する。この場合、識別情報制御部１０９は、クリックされた制御対象識別情報に対応付けされた監視対象設備から電圧検出器までの経路ごとに設けられた監視対象設備のうちいずれか１つ以上がオフであり、かつ全ての経路でいずれか１つ以上の監視対象設備がオフである場合、その経路を構成する系統線が通電しなくなったことを受けて系統線識別情報をオフの態様（例えば、白色等の所定の色）に変化させる。
【００３４】
通知部１１０は、第１制御指示を受け付けてから、監視対象設備の制御に関する所定の処理が行われるまでにクリックされた制御対象識別情報と、クリックされた制御対象識別情報と同じ設備に対応付けられている設備識別情報と、が重ならないように所定の通知画面を第１監視画像又は第２監視画像に表示させる。所定の通知画面は、設備に対する制御内容を示す画面である。監視者は所定の通知画面に基づいて、自身が行う操作を把握することが可能になる。また、通知部１１０は、制御対象識別情報と設備識別情報とに重ならないように所定の通知画面を表示させることで、いずれの監視対象設備について通知されているのかを把握することもできる。
【００３５】
認証部１１１は、監視者から所定の認証情報を受け付けることで監視者に対する認証処理を行う。具体的には、認証部１１１は、入力部１０２を介してユーザから認証情報を受け付ける。認証情報は、例えばＩＤ及びパスワードの組み合わせであってもよいし、パスワードのみであってもよい。パスワードは数字及びアルファベットを含む文字列、絵柄の組み合わせや線のパターン等の既存のパスワードとして用いられている情報であればどのような情報であってもよい。認証情報は、例えば指紋や顔のような生体情報であってもよい。認証情報は複数の情報の組み合わせであってもよい。認証情報は、監視者毎に異なっていてもよいし、監視者毎に共通の認証情報が用いられてもよい。認証部１１１は、認証情報が所定の条件を満たすか否かを判定する。所定の条件とは、例えば、受け付けた認証情報が認証部１１１が記憶する認証情報と一致するか否かであってもよいし、どのような条件であってもよい。認証部１１１は、予め認証情報を記憶する。設備制御部１０８は、認証情報が所定の条件を満たす場合に第１制御指示を受け付け可能となる。設備制御部１０８は、認証情報が所定の条件を満たさない場合に第１制御指示を受け付けないように構成されてもよい。設備制御部１０８は、認証された監視者のレベルに応じて、操作可能な制御対象識別情報を定めていてもよい。この場合、操作可能な制御対象識別情報は、監視者毎に予め定められる。
【００３６】
表示制御部１１２は、画像生成部１０７によって生成された第１監視画像を第１表示部１０３に表示させる。表示制御部１１２は、画像生成部１０７によって生成された第２監視画像を第２表示部１０４に表示させる。表示制御部１１２は、第１監視画像と第２監視画像とが同時に表示されるように制御する。なお、表示制御部１１２は、１つの表示装置に第１監視画像と第２監視画像とを並べて表示するように構成されてもよい。
【００３７】
図３は、実施形態の制御装置２００の機能構成を表す機能ブロック図である。制御装置２００は、制御プログラムを実行することによって通信部２０１、監視データ記憶部２０２及び制御部２０３を備える装置として機能する。
【００３８】
通信部２０１は、ネットワークインタフェースである。通信部２０１は閉域ネットワーク４００を介して、監視制御装置１００と通信する。通信部２０１は、例えば無線ＬＡＮ又は有線ＬＡＮ等の通信方式で通信してもよい。
【００３９】
制御部２０３は、制御装置２００の各部の動作を制御する。制御部２０３は、例えばプロセッサ及びメモリを備えた装置により実行される。制御部２０３は、制御プログラムを実行することによって、コントローラ制御部２０４として機能する。
【００４０】
監視データ記憶部２０２は、磁気ハードディスク装置や半導体記憶装置等の記憶装置を用いて構成される。監視データ記憶部２０２は、コントローラから取得した監視データを記憶する。制御部２０３は、監視データ記憶部２０２の記憶容量がいっぱいになった場合等に監視データ記憶部２０２に記録されている監視データをファイルサーバ３００に記憶させてもよい。この場合、制御部２０３は、ファイルサーバ３００に記憶された監視データを監視データ記憶部２０２から削除する。
【００４１】
コントローラ制御部２０４は、制御装置２００に接続されたコントローラを制御する。具体的には、コントローラ制御部２０４は、監視制御装置１００から受け付けた制御の内容に応じて、コントローラに対して制御信号を送信する。制御信号は、例えば、監視対象設備の稼働状態をオンにする信号であってもよいし、稼働状態をオフにする信号であってもよい。
【００４２】
図５は、実施形態の第１監視画像と第２監視画像との一具体例を示す図である。第１監視画像は第１表示部１０３に表示される。画像生成部１０７は、接続情報記憶部１０５に記憶された接続情報テーブルに基づいて第１監視画像を描画する。第１表示部１０３に表示された第１監視画像は、設備識別情報１１、設備識別情報１２、設備識別情報１３、設備識別情報１４、設備識別情報１５、設備識別情報１６、系統線識別情報２１、系統線識別情報２２、系統線識別情報２３、系統線識別情報２４及び系統線識別情報２５を持つ。第１監視画像によれば、設備識別情報１１、設備識別情報１２及び設備識別情報１６は、稼働状態がオンであることがわかる。第１監視画像によれば、設備識別情報１３、設備識別情報１４及び設備識別情報１６は、稼働状態がオフであることがわかる。第１監視画像によれば、系統線識別情報２１、系統線識別情報２２及び系統線識別情報２４は、通電状態であることがわかる。第１監視画像によれば、系統線識別情報２３及び系統線識別情報２５は、非通電状態であることがわかる。このように、ユーザは第１監視画像に基づいて、監視対象設備の稼働状態を把握することが可能になる。
【００４３】
第２監視画像は第２表示部１０４に表示される。画像生成部１０７は、接続情報記憶部１０５に記憶された接続情報テーブルに基づいて第２監視画像を描画する。第２表示部１０４に表示された第２監視画像は、制御対象識別情報１１ａ、制御対象識別情報１２ａ、制御対象識別情報１３ａ、制御対象識別情報１４ａ、制御対象識別情報１５ａ、制御対象識別情報１６ａ、ロック解除アイコン３０、入アイコン４１、切アイコン４２、選択解除アイコン４３及び出力アイコン４４を持つ。第２監視画像によれば、制御対象識別情報１１ａ、制御対象識別情報１２ａ、制御対象識別情報１３ａ、制御対象識別情報１４ａ、制御対象識別情報１５ａ、制御対象識別情報１６ａは、それぞれ設備識別情報１１、設備識別情報１２及び設備識別情報１６に対応付けられる。したがって、設備識別情報１１、設備識別情報１２及び設備識別情報１６の稼働状態がオンであるため、制御対象識別情報１１ａ、制御対象識別情報１２ａ及び制御対象識別情報１６ａは、稼働状態がオンであることを示す表示態様で表示される。また、設備識別情報１３、設備識別情報１４及び設備識別情報１５の稼働状態がオフであるため、制御対象識別情報１３ａ、制御対象識別情報１４ａ及び制御対象識別情報１５ａは、稼働状態がオフであることを示す表示態様で表示される。
【００４４】
制御対象識別情報１１ａ、制御対象識別情報１２ａ、制御対象識別情報１３ａ、制御対象識別情報１４ａ、制御対象識別情報１５ａ、制御対象識別情報１６ａは、ユーザから入力部１０２を介して第１制御指示を受け付ける識別情報である。各設備識別情報は、例えば、入力部１０２を介してクリック操作されることで第１制御指示を受け付ける。この場合、第１制御指示は、クリック操作された制御対象識別情報に対応付けられた設備に対して、制御が行われる可能性があることを示す指示である。各設備識別情報は、ロック解除アイコンが「解除」に選択されている場合に選択可能になる。
【００４５】
ロック解除アイコン３０は、第２監視画像が操作を受け付ける状態であるか否かを示すアイコンである。ロック解除アイコン３０は、「解除」に選択されている場合、ユーザは入力部１０２を介して第１制御指示等の監視対象設備に対する所定の指示を入力することができる。ロック解除アイコン３０は、「ロック」に選択されている場合、ユーザは入力部１０２を介して、監視対象設備に対する所定の指示を入力することができない。なお、図５におけるロック解除アイコン３０は、「ロック」に選択されていることを示す。制御部２０６は、「解除」に選択されてからから所定の時間が経過した場合に「ロック」を選択するように制御されてもよい。所定の時間は、例えば、５秒であってもよいし、１０秒であってもよい。
【００４６】
入アイコン４１は、ユーザから入力部１０２を介して第３制御指示を受け付けるアイコンである。入アイコン４１は、例えば、入力部１０２を介してクリック操作されることで第３制御指示を受け付ける。この場合、第３制御指示は、第１制御指示において選択された制御対象識別情報に対応付けられた設備に対して、稼働状態をオンにする指示である。入アイコン４１は、第１制御指示を受け付けされた場合に選択可能になる。
【００４７】
切アイコン４２は、ユーザから入力部１０２を介して第３制御指示を受け付けるアイコンである。切アイコン４２は、例えば、入力部１０２を介してクリック操作されることで第３制御指示を受け付ける。この場合、第３制御指示は、第１制御指示において選択された制御対象識別情報に対応付けられた設備に対して、稼働状態をオフにする指示である。切アイコン４２は、第１制御指示を受け付けされた場合に選択可能になる。
【００４８】
選択解除アイコン４３は、ユーザから入力部１０２を介して選択解除指示を受け付けるアイコンである。選択解除アイコン４３は、例えば、入力部１０２を介してクリック操作されることで選択解除指示を受け付ける。選択解除指示は、第１制御指示又は第３制御指示をキャンセルする指示である。設備制御部１０８は、第１制御指示を受け付けした後に第３制御指示を受け付けするのを待っている状態で選択解除アイコン４３が選択されると、第１制御指示をキャンセルする。設備制御部１０８は、第３制御指示を受け付けした後に第２制御指示を受け付けするのを待っている状態で選択解除アイコン４３が選択されると、第３制御指示をキャンセルする。
【００４９】
出力アイコン４４は、ユーザから入力部１０２を介して第２制御指示を受け付けるアイコンである。出力アイコン４４は、例えば、入力部１０２を介してクリック操作がされることで第２制御指示を受け付ける。この場合、第２制御指示は、第１制御指示において選択された制御対象識別情報に対応付けられた設備に対して、第３制御指示において指定された制御内容に応じて、設備の制御を開始させる指示である。出力アイコン４４は、第３制御指示を受け付けされた場合に選択可能になる。出力アイコン４４は、複数回のクリック操作がされることで第２制御指示を受け付けるように構成されてもよい。
【００５０】
図６は、実施形態の第１制御指示を受け付けた場合の一具体例を示す図である。第１監視画像及び第２監視画像において、既に説明した内容については説明を省略する。図６は、入力部１０２を介して、第３断路器を表す制御対象識別情報１４ａがクリックされた場合の第１監視画像及び第２監視画像を表す。すなわち、図６は、第１制御指示を受け付けた際の第１監視画像及び第２監視画像を表す。この場合、ロック解除アイコン３０は、「解除」が選択されている。
【００５１】
第１監視画像は外枠５０を含む。第１制御指示を受け付けると、識別情報制御部１０９は設備識別情報１４を外枠５０で囲むことで表示態様を変化させる。第２監視画像は外枠５０ａを含む。第１制御指示を受け付けると、識別情報制御部１０９は制御対象識別情報１４ａを外枠５０ａで囲むことで表示態様を変化させる。なお、外枠５０と外枠５０ａとは、異なる色であってもよいが、同じ色であることが望ましい。また、識別情報制御部１０９は、外枠５０と外枠５０ａとを点滅表示させてもよい。
【００５２】
図７は、実施形態の第３制御指示を受け付けた場合の一具体例を示す図である。第１監視画像及び第２監視画像において、既に説明した内容については説明を省略する。図７は、入力部１０２を介して入アイコン４１がクリックされた場合の第１監視画像及び第２監視画像を表す。すなわち、図７は、第１制御指示として制御対象識別情報１４ａがクリックされた後に、第３制御指示を受け付けた際の第１監視画像及び第２監視画像を表す。この場合、ロック解除アイコン３０は、「解除」が選択されている。また、入アイコン４１は、クリックされたことに応じて、クリックされたことを示す態様で表示される。クリックされたことを示す態様とは、色が変化することであってもよいし、外枠が表示されてもよい。
【００５３】
第１監視画像は系統線識別情報２５の代わりに系統線識別情報２５ａを含む。第３制御指示を受け付けると、識別情報制御部１０９は、設備識別情報１４に接続されている系統線識別情報２５ａの通電状態の変化の有無を判定する。具体的には、識別情報制御部１０９は、設備識別情報１４から電圧検出器を表す設備識別情報１１までのいずれかの経路にある設備識別情報（例えば、設備識別情報１２及び設備識別情報１６）がすべてオンである場合、系統線識別情報２５の通電状態はオンに変化すると判定する。識別情報制御部１０９は、通電状態が変化すると判定した場合に、系統線識別情報２５ａを点滅表示させることで表示態様を変化させる。一方で、識別情報制御部１０９は、設備識別情報１４から電圧検出器を表す設備識別情報１１までのいずれかの経路にある設備識別情報のいずれか１つ以上がすべてオフである場合、系統線識別情報２５の通電状態はオフのままで変化しないと判定する。識別情報制御部１０９は、通電状態が変化しないと判定した場合に、系統線識別情報２５ａの表示態様を変化させない。
【００５４】
図８は、実施形態の第２制御指示を受け付けた場合の一具体例を示す図である。第１監視画像及び第２監視画像において、既に説明した内容については説明を省略する。図８は、入力部１０２を介して、出力アイコン４４がクリックされた場合の第１監視画像及び第２監視画像を表す。すなわち、図８は、第１制御指示として制御対象識別情報１４ａがクリックされ、第３制御指示として入アイコン４１がクリックされた後に、第２制御指示を受け付けた際の第１監視画像及び第２監視画像を表す。この場合、ロック解除アイコン３０は、「解除」が選択されている。
【００５５】
第１監視画像は系統線識別情報２５の代わりに系統線識別情報２５ｂを含む。第２制御指示を受け付けると、識別情報制御部１０９は、設備識別情報１４に接続されている系統線識別情報２５ｂの通電状態の変化の有無を判定する。識別情報制御部１０９は、通電状態が変化したと判定した場合に、系統線識別情報２５ｂを通電状態であることを示す表示態様に変化させる。一方で、識別情報制御部１０９は、通電状態が変化していない（非通電状態のままである）と判定した場合に、系統線識別情報２５ｂの表示態様を変化させない。
【００５６】
図９は、実施形態の通知画面が表示された場合の一具体例を示す図である。第１監視画像及び第２監視画像において、既に説明した内容については説明を省略する。図９は、第１制御指示を受け付けてから設備が制御されるまでに、設備に対する制御の内容を表す通知画面を表示する。
【００５７】
第１監視画像は通知画面６０を含む。図９の通知画面では、入アイコン４１がクリックされて、第２制御指示が受け付けされた場合に表示される。通知部は、第１制御指示において選択された制御対象識別情報１４ａと、制御対象識別情報１４ａに対応付けされた設備識別情報１４とに重ならないように通知画面を表示する。
【００５８】
図１０及び図１１は、実施形態の監視対象設備の制御の流れを示すフローチャートである。処理は、第１表示部１０３には第１監視画像が表示され、第２表示部１０４には第２監視画像が表示されている状態に実行される。設備制御部１０８は、ロック解除アイコン３０に対する「解除」の選択を受け付ける（ステップＳ１０１）。具体的には、設備制御部１０８は、ユーザから入力部１０２を介してロック解除アイコン３０に対するクリック又はドラッグを受け付けることで、「解除」の選択を受け付ける。設備制御部１０８は、第１制御指示を受け付ける（ステップＳ１０２）。具体的には、設備制御部１０８は、ユーザから入力部１０２を介して、第２監視画像に表示される制御対象識別情報に対するクリックを受け付けることで第１制御指示を受け付ける。
【００５９】
識別情報制御部１０９は、第１制御指示を受け付けた制御対象識別情報と、制御対象識別情報と同じ設備に対応付けられている設備識別情報と、の表示態様を他の制御対象識別情報と他の設備識別情報とは異なる表示態様に変化させる（ステップＳ１０３）。例えば、識別情報制御部１０９は、制御対象識別情報と設備識別情報とを外枠で囲むことで表示態様を変化させる。設備制御部１０８は、第３制御指示を受け付ける（ステップＳ１０４）。具体的には、設備制御部１０８は、ユーザから入力部１０２を介して、第２監視画像に表示される入アイコン４１又は切アイコン４２に対するクリックを受け付けることで第３制御指示を受け付ける。
【００６０】
通知部１１０は、第３制御指示に基づいて生成された通知画面を表示する（ステップＳ１０５）。識別情報制御部１０９は、第１制御指示を受け付けた制御対象識別情報に対応付けされた設備識別情報に接続されている系統線識別情報の通電状態の変化の有無を判定する（ステップＳ１０６）。通電状態に変化がある場合（ステップＳ１０６：ＹＥＳ）、識別情報制御部１０９は、通電状態が変化する系統線識別情報を点滅表示させることで表示態様を変化させる（ステップＳ１０７）。通電状態に変化がない場合（ステップＳ１０６：ＮＯ）、処理は、ステップＳ１０８に遷移する。
【００６１】
設備制御部１０８は、再び第３制御指示を受け付けたか否かを判定する（ステップＳ１０８）。具体的には、設備制御部１０８は、ステップＳ１０４において入アイコン４１又は切アイコン４２のいずれかが操作されて第３制御指示を受け付けた後に、再び入アイコン４１又は切アイコン４２のいずれかが操作されたか否かを判定する。このように構成されることで、ユーザは、第３制御指示のやり直しが可能になる。再び第３制御指示を受け付けた場合（ステップＳ１０８：ＹＥＳ）、処理はステップＳ１０５へ遷移する（ステップＳ１０９）。第３制御指示を受け付けていない場合（ステップＳ１０８：ＮＯ）、設備制御部１０８は、第２制御指示を受け付ける（ステップＳ１１０）。具体的には、設備制御部１０８は、ユーザから入力部１０２を介して、第２監視画像に表示される出力アイコン４４に対するクリックを受け付けることで第２制御指示を受け付ける。
【００６２】
設備制御部１０８は、第３制御指示として入アイコン４１が選択されて第３制御指示を受け付けたか否かを判定する（ステップＳ１１１）。入アイコン４１が選択されて第３制御指示を受け付けた場合（ステップＳ１１１：ＹＥＳ）、設備制御部１０８は、対象の設備のオン処理を行う（ステップＳ１１２）。具体的には、設備制御部１０８は、第１制御指示において選択された制御対象識別情報に対応付けされた設備の稼働状態をオンにする制御信号を制御装置２００に送信する。制御信号を受け付けた制御装置２００は、制御対象識別情報に対応付けされた設備を制御するコントローラに対して、制御信号を送信する。コントローラは、設備の稼働状態をオンにする。設備制御部１０８は、実際の設備の状態に応じて接続情報記憶部１０５に記憶された接続情報テーブルの値を変更する。例えば、設備制御部１０８は、制御対象識別情報に対応付けされた設備識別情報の稼働状態の値を「オン」にする。識別情報制御部１０９は、第１制御指示において選択された制御対象識別情報と、制御対象識別情報に対応付けられた設備識別情報と、の表示態様を稼働状態「オン」の態様に変更させる（ステップＳ１１３）。
【００６３】
入アイコン４１が選択されることなく第３制御指示を受け付けた場合（ステップＳ１１１：ＮＯ）、設備制御部１０８は、対象の設備のオフ処理を行う（ステップＳ１１４）。具体的には、設備制御部１０８は、第１制御指示において選択された制御対象識別情報に対応付けされた設備の稼働状態をオフにする制御信号を制御装置２００に送信する。制御信号を受け付けた制御装置２００は、制御対象識別情報に対応付けされた設備を制御するコントローラに対して、制御信号を送信する。コントローラは、設備の稼働状態をオフにする。設備制御部１０８は、実際の設備の状態に応じて接続情報記憶部１０５に記憶された接続情報テーブルの値を変更する。例えば、設備制御部１０８は、制御対象識別情報に対応付けされた設備識別情報の稼働状態の値を「オフ」にする。識別情報制御部１０９は、第１制御指示において選択された制御対象識別情報と、制御対象識別情報に対応付けられた設備識別情報と、の表示態様を稼働状態「オフ」の態様に変更させる（ステップＳ１１５）。
【００６４】
このように構成された、監視制御システム１では、画像生成部１０７は第１監視画像と第２監視画像とを生成する。第１監視画像は、監視対象となる設備に対応付けられた設備識別情報と設備同士の接続に用いられる系統線に対応付けられた系統線識別情報とを複数組み合わせて描画された画像である。第２監視画像は、設備に対応付けられ、かつ対応付けられた設備に対して、設備の稼働に関する所定の制御がなされる可能性を有することを示す第１制御指示をユーザから受け付ける制御対象識別情報が複数描画された画像である。表示制御部１１２が、第１監視画像が第１表示部１０３に、第２監視画像が第２表示部１０４に表示されるように制御する。ユーザは、第１監視画像と第２監視画像とに基づいて、監視対象の設備を監視制御する。したがって、ユーザは、第１監視画像と第２監視画像とを切り替えたり、２台の監視制御装置を並行して操作したり、する必要がなくなるため、効率的に監視制御を行うことが可能になる。
【００６５】
上述の実施形態では、制御対象識別情報と設備識別情報とは一対一対応する場合を例として説明したが、これに限定されない。例えば、第１監視画像が、監視対象全体を表す画像と、監視対象の一部を拡大した画像と、２種類の画像で表される場合、制御対象識別情報は、監視対象全体を表す画像における設備識別情報と、監視対象の一部を拡大した画像における設備識別情報と、それぞれに対応付けされる。
【００６６】
監視制御装置１００は、ネットワークを介して通信可能に接続された複数台の情報処理装置を用いて実装されてもよい。この場合、監視制御装置１００が備える各機能部は、複数の情報処理装置に分散して実装されてもよい。例えば、画像生成部１０７と表示制御部１１２とはそれぞれ異なる情報処理装置に実装されてもよい。
【００６７】
上記各実施形態では、画像生成部１０７、設備制御部１０８、識別情報制御部１０９、通知部１１０、認証部１１１及び表示制御部１１２はソフトウェア機能部であるものとしたが、ＬＳＩ等のハードウェア機能部であってもよい。
【００６８】
以上説明した少なくともひとつの実施形態によれば、画像生成部１０７及び表示制御部１１２を持つことにより、ユーザが監視対象設備の監視制御をより効率的に行うことができる。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７０】
１…監視制御システム１、１００…監視制御装置、１０１…通信部、１０２…入力部、１０３…第１表示部、１０４…第２表示部、１０５…接続情報記憶部、１０６…制御部、１０７…画像生成部、１０８…設備制御部、１０９…識別情報制御部、１１０…通知部、１１１…認証部、１１２…表示制御部、２００…制御装置、２０１…通信部、２０２…監視データ記憶部、２０３…制御部、２０４…コントローラ制御部、２１０…コントローラ、２２０…コントローラ、２３０…コントローラ、２４０…コントローラ、３００…ファイルサーバ、４００…閉域ネットワーク
【図１】
2020135065.tif 000003
【図２】
2020135065.tif 000004
【図３】
2020135065.tif 000005
【図４】
2020135065.tif 000006
【図５】
2020135065.tif 000007
【図６】
2020135065.tif 000008
【図７】
2020135065.tif 000009
【図８】
2020135065.tif 000010
【図９】
2020135065.tif 000011
【図１０】
2020135065.tif 000012
【図１１】
2020135065.tif 000013